(57)【要約】    【課題】  アノテーション共有のメリットを活かしたシステムを提供する。    【解決手段】  端末装置Ｔの書籍表示手段２２は、書籍サーバ装置（図示せず）から書籍データを受けて、これを表示する。操作内容送信手段２０は、表示された書籍に対してユーザが行ったアノテーション操作を、アノテーションサーバ装置Ｓに送信する。アノテーションサーバ装置Ｓのポイント付加手段２は、アノテーション操作があった旨を受けて、当該アノテーションに対してポイントを付加する。記録手段４は、当該アノテーションおよびポイントを、記録部８に記録する。アノテーション表示データ送信手段６は、記録部８に記録されたアノテーションおよびポイントに基づいて、アノテーション表示のためのアノテーション表示データを生成し、端末装置Ｔに送信する。アノテーション表示手段２４は、アノテーション表示データに基づいて、ポイントに応じて表示形態を異ならせ書籍に対するアノテーションを表示する。【選択図】  図１
2016045835.tif 000002
【特許請求の範囲】
【請求項１】
端末装置、書籍サーバ装置、アノテーションサーバ装置を備えたアノテーション共有システムであって、
前記端末装置は、
前記書籍サーバ装置から書籍データを受けて表示する書籍表示手段と、
前記アノテーションサーバ装置からアノテーション表示データを受けて、アノテーションに対して付されたポイントに応じて形態を異ならせてアノテーションを表示するアノテーション表示手段と、
ユーザからの操作入力を受けて、書籍に対するアノテーションを前記アノテーションサーバ装置に送信する操作内容送信手段とを備え、
前記アノテーションサーバ装置は、
前記端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段を備えていることを特徴とするアノテーション共有システム。
【請求項２】
端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段と、
を備えたアノテーションサーバ装置。
【請求項３】
アノテーションサーバ装置をコンピュータによって実現するためのアノテーションサーバプログラムであって、コンピュータを、
端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段として機能させるためのアノテーションサーバプログラム。
【請求項４】
請求項１のシステム、請求項２の装置、または請求項３のプログラムにおいて、
前記アノテーションサーバ装置のポイント付加手段は、
アノテーションが文章に対するものであり、当該文章中の部分にもアノテーションがなされている場合には、文章に対するアノテーションはポイント付加の対象とせず、
アノテーションが文章に対するものであり、当該文章中のいずれの部分にもアノテーションがなされていない場合には、当該文章に対するアノテーションをポイント付加の対象とすることを特徴とするシステム、装置またはプログラム。
【請求項５】
請求項１〜４のシステム、装置、またはプログラムにおいて、
前記アノテーションサーバ装置のポイント付加手段は、
前記端末装置がアノテーションに対する操作を行った旨の情報を受けて、当該アノテーションに対してポイントを付加することを特徴とするシステム、装置またはプログラム。
【請求項６】
請求項１〜５のシステム、装置、またはプログラムにおいて、
前記書籍サーバ装置と前記アノテーションサーバ装置は、単一のサーバ装置として構築されていることを特徴とするシステム、装置、またはプログラム。
【発明の詳細な説明】
【技術分野】
【０００１】
この発明は、書籍に対するアノテーションを共有するためのシステムに関するものである。
【背景技術】
【０００２】
電子化された書籍をサーバ装置に保存し、これを端末装置から閲覧することが行われている。このようなシステムによれば、端末装置に書籍データを保存する必要がないため、書籍データに手が加えられた場合であっても、サーバ装置上の最新版の書籍をリアルタイムに閲覧することが可能であり、また端末装置のハードディスクも有効に活用することができる。
【０００３】
また、書籍に対して端末装置の利用者が付したアノテーション（付箋、下線、マーカなど）を、サーバ装置に保存することによって、利用者同士がこれを共有することができる（特許文献１）。
【先行技術文献】
【特許文献】
【０００４】
【特許文献１】特開２０１０−２０４８６３
【発明の概要】
【発明が解決しようとする課題】
【０００５】
しかしながら、上記のような従来のシステムでは、サーバ装置においてアノテーションが共有されているにもかかわらず、そのメリットが十分に活かされているとは言い難かった。
【０００６】
この発明は上記のような問題点を解決して、アノテーション共有のメリットを活かしたシステムを提供することを目的とする。
【課題を解決するための手段】
【０００７】
(1)(2)(3)この発明に係るアノテーション共有システムは、前記端末装置が、前記書籍サーバ装置から書籍データを受けて表示する書籍表示手段と、前記アノテーションサーバ装置からアノテーション表示データを受けて、アノテーションに対して付されたポイントに応じて形態を異ならせてアノテーションを表示するアノテーション表示手段と、ユーザからの操作入力を受けて、書籍に対するアノテーションを前記アノテーションサーバ装置に送信する操作内容送信手段とを備え、
前記アノテーションサーバ装置が、前記端末装置から送信されてきたアノテーションについて、ポイントを付加するポイント付加手段と、前記アノテーションおよびポイントを記録部に記録する記録手段と、前記ポイントに応じて各アノテーションの表示形態を変えるためのアノテーション表示データを生成し、前記端末装置に送信するアノテーション表示データ送信手段を備えていることを特徴としている。
【０００８】
したがって、アノテーションを各ユーザにて共有でき、ポイントによってその重要性を認識することができる。
【０００９】
(4)この発明に係るシステムは、アノテーションサーバ装置のポイント付加手段が、アノテーションが文章に対するものであり、当該文章中の部分にもアノテーションがなされている場合には、文章に対するアノテーションはポイント付加の対象とせず、アノテーションが文章に対するものであり、当該文章中のいずれの部分にもアノテーションがなされていない場合には、当該文章に対するアノテーションをポイント付加の対象とすることを特徴としている。
【００１０】
したがって、アノテーションが重複してなされた場合に、これを適切に統合することができる。
【００１１】
(5)この発明に係るシステムは、アノテーションサーバ装置のポイント付加手段が、端末装置がアノテーションに対する操作を行った旨の情報を受けて、当該アノテーションに対してポイントを付加することを特徴としている。
【００１２】
したがって、アノテーションに対する操作を行ったことにより、自動的にポイントを付加することができる。
【００１３】
(6)この発明に係るシステムは、書籍サーバ装置と前記アノテーションサーバ装置が、単一のサーバ装置として構築されていることを特徴としている。
【００１４】
したがって、システムを簡素化することができる。
【００１５】
この発明において、「書籍表示手段」は、実施形態では、ステップＳ２がこれに対応する。
【００１６】
「アノテーション表示手段」は、実施形態では、ステップＳ５がこれに対応する。
【００１７】
「操作内容送信手段」は、実施形態では、ステップＳ７がこれに対応する。
【００１８】
「ポイント付加手段」は、実施形態では、ステップＳ３４がこれに対応する。
【００１９】
「記録手段」は、実施形態では、ステップＳ３５がこれに対応する。
【００２０】
「アノテーション表示データ送信手段」は、ステップＳ３１がこれに対応する。
【００２１】
「プログラム」とは、ＣＰＵにより直接実行可能なプログラムだけでなく、ソース形式のプログラム、圧縮処理がされたプログラム、暗号化されたプログラム等を含む概念である。
【図面の簡単な説明】
【００２２】
【図１】この発明の一実施形態によるアノテーション共有システムの機能ブロック図である。
【図２】端末装置Ｔのハードウエア構成である。
【図３】アノテーションサーバ装置Ｓのハードウエア構成である。
【図４】アノテーション共有処理のフローチャートである。
【図５】アノテーション共有処理のフローチャートである。
【図６】書籍の表示例である。
【図７】アノテーションの統合処理と記録のフローチャートである。
【図８】アノテーションの表示例である。
【図９】アノテーションとポイントのデータ記録例である。
【図１０】コピー候補の表示例である。
【発明を実施するための形態】
【００２３】
１．機能ブロック図
図１に、この発明の一実施形態によるアノテーション共有システムの機能ブロック図を示す。端末装置Ｔの書籍表示手段２２は、書籍サーバ装置（図示せず）から書籍データを受けて、これを表示する。操作内容送信手段２０は、表示された書籍に対してユーザが行ったアノテーション操作を、アノテーションサーバ装置Ｓに送信する。
【００２４】
アノテーションサーバ装置Ｓのポイント付加手段２は、アノテーション操作があった旨を受けて、当該アノテーションに対してポイントを付加する。記録手段４は、当該アノテーションおよびポイントを、記録部８に記録する。
【００２５】
アノテーション表示データ送信手段６は、記録部８に記録されたアノテーションおよびポイントに基づいて、アノテーション表示のためのアノテーション表示データを生成し、端末装置Ｔに送信する。
【００２６】
端末装置Ｔのアノテーション表示手段２４は、アノテーション表示データに基づいて、ポイントに応じて表示形態を異ならせた、書籍に対するアノテーションを表示する。したがって、アノテーション共有のメリットをいかして、各ユーザの与えたポイントの合計に応じて、アノテーションの表示形態を異ならせることができる。
【００２７】
２．ハードウエア構成
図２に、端末装置Ｔのハードウエア構成を示す。ＣＰＵ４０には、メモリ４２、タッチパネル４４、不揮発性メモリ４６、通信回路４８が接続されている。通信回路４８は、インターネットに接続するためのものである。タッチパネル４４は、表示を行うとともに、ユーザからの入力を受け付けるためのものである。
【００２８】
不揮発性メモリ４６には、オペレーティングシステム（ＯＳ）５０、端末プログラム５２が記録されている。端末プログラム５２は、オペレーティングシステム５０と協働してその機能を発揮するものである。
【００２９】
図３に、アノテーションサーバ装置Ｓのハードウエア構成を示す。ＣＰＵ６０には、メモリ６２、通信回路６４、ハードディスク６６、ＤＶＤ−ＲＯＭドライブ６８が接続されている。通信回路６４は、インターネットに接続するためのものである。ハードディスク６６には、オペレーティングシステム（ＯＳ）７０、アノテーションサーバプログラム７２が記録されている。アノテーションサーバプログラム７２は、オペレーティングシステム７０と協働して、その機能を発揮するものである。
【００３０】
また、書籍サーバも図３と同様の構成である。書籍サーバには、電子書籍のデータが記録されている。
【００３１】
３．アノテーション共有処理
図４に、端末プログラム５２、アノテーションサーバプログラム７２のフローチャートを示す。
【００３２】
端末装置ＴのＣＰＵ４０（以下、端末装置Ｔと省略することがある）は、書籍サーバ装置（図示せず）から書籍データを受信する（ステップＳ１）。受信した書籍データを、タッチパネル４４に表示する（ステップＳ２）。次に、端末装置Ｔは、現在表示中のページのアノテーション表示データを、アノテーションサーバ装置Ｓに要求する（ステップＳ３）。
【００３３】
これを受けて、アノテーションサーバ装置ＳのＣＰＵ６０（以下、アノテーションサーバ装置Ｓと省略することがある）は、当該ページのアノテーション表示データをハードディスク６６から読み出して、端末装置Ｔに送信する（ステップＳ３１）。
【００３４】
端末装置Ｔは、このアノテーション表示データを受信する（ステップＳ４）。受信したアノテーション表示データに基づいて、書籍上にアノテーションを表示する（ステップＳ５）。これにより、たとえば、タッチパネル４４上に、図６に示すような画面が表示される。図６において、アノテーション１００が示されている。このアノテーション１００は、今回、書籍データを閲覧するまでに、本人もしくは他人が書き込みを行ったアノテーションである。
【００３５】
次に、端末装置Ｔを使用するユーザが、表示を拡大したり、自らのアノテーションを入力する場合について説明する。この場合、ユーザは、端末装置Ｔのタッチパネル４４を操作し、拡大表示操作を行ったり、アノテーションしたい部分を選択して指示を行う（ステップＳ６）。
【００３６】
表示の拡大指示などは、書籍サーバに送信されて拡大のための処理が書籍サーバにおいてなされる（この処理は端末装置Ｔの側で行ってもよい）。これとともに、拡大指示があった旨が、アノテーションサーバにも送信される（ステップＳ７）。
【００３７】
また、アノテーションの指示は、書籍サーバ装置ではなく、アノテーションサーバ装置Ｓにのみ送信される（ステップＳ７）。この実施形態では、書籍サーバにおいて、アノテーションを表示するための機能を有していないからである。
【００３８】
アノテーションサーバ装置Ｓは、端末装置の操作内容を受信する（ステップＳ３２）。アノテーションサーバ装置Ｓは、受信した操作内容がアノテーションの追加であるかどうかを判断する（ステップＳ３３）。アノテーションの追加であれば、当該アノテーションについての判断を行う（ステップＳ３４）。
【００３９】
図７に、ステップＳ３４のアノテーション判断処理の詳細を示す。まず、アノテーションサーバ装置Ｓは、受信したアノテーションの追加処理において、追加されようとしているアノテーションが、既に記録済みのアノテーションと重複するかどうかを判断する（ステップＳ３４１）。
【００４０】
重複がなければ、当該アノテーションを、新たなアノテーションとしてハードディスク６６に記録する（ステップＳ３４２）。
【００４１】
重複がある場合には、統合処理を行う（ステップＳ３４３）。たとえば、図８に示すように、既にアノテーション１００が記録済みであり、これに重ねてアノテーション１０２が追加されようとした場合、アノテーション１０２を新たなアノテーションとしては扱わない。つまり、アノテーション１０２を、アノテーション１００に統合する。この場合、小さいアノテーションの側に統合するようにしている。
【００４２】
なお、アノテーション１０４、１０６のように、一方が他方を包含しない状態で重複している場合には、それぞれを別個のアノテーションとして扱うようにしている。したがって、アノテーション１０４が既に記録されている状態にて、アノテーション１０６が追加された場合、アノテーション１０６を新たに記録する。
【００４３】
さらに、文章全体についてアノテーションがなされている場合も、上記と同様である。たとえば、アノテーション１０８が既に登録されているとする。この状態で、アノテーション１１０を追加しようとすると、アノテーション１０８は削除して、アノテーション１１０に統合する（小さいアノテーションの側に統合する）。これらの場合のポイント付加処理については、後述する。
【００４４】
図９に、記録されたアノテーションのテーブルを示す。各アノテーションには、アノテーションＩＤが付されている。アノテーションのある頁、位置（当該ページの先頭からの文字数）が示されている。アノテーションが上記処理によって統合される場合には、統合先アノテーションが記録されることになる。たとえば、アノテーションＩＤ「１０２３４」のアノテーションは、アノテーションＩＤ「１０２３５」のアノテーションに統合されていることが示されている。また、ユーザＩＤの欄には、このアノテーションを追加したユーザのＩＤが記録されている。
【００４５】
続いて、アノテーションサーバ装置Ｓは、上記にて新たに記録したアノテーション、統合したアノテーションに対してポイント付加処理を行う（図５のステップＳ３５）。
【００４６】
アノテーションサーバ装置Ｓは、以下のようにしてアノテーションに対するポイント付加を行う。新たなアノテーションが付加された場合（つまり、既に記録済みのアノテーションと重複しないアノテーションが追加された場合）には、当該アノテーションに対して、１ポイントを付加する。
【００４７】
追加したアノテーションが、既に記録済みのアノテーションに統合された場合（追加したアノテーションが、既に記録済みのアノテーションより大きい場合）には、既に記録済みのアノテーションに対して１ポイントを付加する。
【００４８】
追加したアノテーションが、既に記録済みのアノテーションを統合した場合（追加したアノテーションが、既に記録済みのアノテーションより小さい場合）には、既に記録済みのアノテーションの有するポイントを引き継いだ上、当該追加したアノテーションに対して１ポイントを付加する。たとえば、図８において、アノテーション１０８が既に記録されており、５ポイントが記録されていたとする。この時に、アノテーション１１０が追加されたとする。この場合、アノテーション１０８とアノテーション１１０は、アノテーション１１０に統合される。そのポイントは、５ポイントを引きついで、これに１ポイントを付加し、６ポイントとなる。
【００４９】
以上のようにして、アノテーションを追加した場合のポイントの付加がなされる。
【００５０】
なお、この実施形態では、アノテーションの追加操作以外の操作についても、ステップＳ３５にて、ポイントの付加を行うようにしている。たとえば、端末装置Ｔにおいて、アノテーションが表示された状態でこれを拡大した場合や、アノテーションをコピーした場合などアノテーションに対する操作を行った場合に、ポイントの追加を行う。
【００５１】
ユーザが端末装置Ｔのタッチパネル４４を操作し、アノテーションを含む画面を拡大したとする。この操作内容は、図４のステップＳ７において、アノテーションサーバ装置Ｓに送信される。また、拡大後の画面内容も、アノテーションサーバ装置Ｓに送信される。
【００５２】
アノテーションサーバ装置Ｓは、ステップＳ３５において、このような拡大操作があった場合には、拡大後の画面に残されているアノテーションに対して、ポイントを１ポイントずつ付与する。この実施形態では、一部でも見えているアノテーションは残されていると判断しているが、全体が見えているアノテーションのみを残されたアノテーションとしてもよい。
【００５３】
また、ユーザがアノテーションを自らのアノテーションとしてコピーした場合にも、ポイントを付与するようにしている。ユーザが端末装置Ｔを操作し、アノテーションをコピーするためのアイコンを選択すると、図１０に示すように、コピー対象となるアノテーションの一覧１５０が表示される。なお、この一覧１５０における表示順序は、各アノテーションのポイントが大きい順となっている。なお、この処理は、端末装置Ｔの側において行うことができる。
【００５４】
ユーザが、この一覧の中からコピーしたいアノテーションを選択すると、選択されたアノテーションのＩＤおよびユーザＩＤが、アノテーションサーバ装置Ｓに送信される。アノテーションサーバ装置Ｓは、これに基づいて、当該アノテーションＩＤのデータ中に、ユーザＩＤを追加する。これにより、当該ユーザは、当該アノテーションを、自ら追加したアノテーションとして登録することができる。
【００５５】
さらに、アノテーションサーバ装置Ｓは、上記のようにしてコピーされたアノテーションに対して、２ポイントを付加する。
【００５６】
以上のようにして、アノテーションの追加、統合、ポイントの付加が行われる。
【００５７】
追加されたアノテーションは、ステップＳ５において表示される。なお、この実施形態では、統合されたアノテーションは表示しないようにしている。また、この実施形態では、アノテーションが重複している場合には統合処理を行うようにしているが、重複している場合であっても別個のアノテーションとして扱うようにしてもよい。たとえば、書籍中の同一箇所に対して、別々のユーザが注釈や補足説明のような書込（アノテーション）を加えた場合に、それぞれを別個のアノテーションとして記録し、ユーザによる拡大操作やコピー操作に応じてポイントを付加することで、より優れたアノテーションを上位に表示するようにしてもよい。
【００５８】
また、アノテーションの表示において、ポイントを大きいものと小さいものを区別可能なように表示してもよい。たとえば、ポイントの大きさに応じて濃度や色を変えるなどである。
【００５９】
４．その他
(1)上記実施形態では、アノテーションに対するポイント付加の算出をアノテーションサーバ装置Ｓにて行うようにしている。しかし、その一部または全部を、端末装置Ｔの側において行うようにしてもよい。この場合、端末装置Ｔは、ポイントの算出結果をアノテーションサーバ装置Ｓに送信すればよい。
【００６０】
(2)上記実施形態では、アノテーションが重複する場合に、小さい範囲のアノテーションに統合するようにしている。しかし、大きい範囲のアノテーションに統合するようにしてもよい。あるいは、統合せずに、それぞれ異なるアノテーションとして記録するようにしてもよい。
【００６１】
(3)上記実施形態では、書籍サーバ装置とは別にアノテーションサーバ装置Ｓを設けるようにしている。しかしながら、これらを一つのサーバとして構築するようにしてもよい。
【００６２】
(4)上記実施形態では、アノテーションに対してユーザが拡大やコピーの操作を行った際に、ポイントを付与している。しかし、ユーザが書籍に対して、既に記録されているアノテーションをキーワード検索するといった操作が行われた場合に、ポイントを付与するようにしてもよい。
【図１】
2016045835.tif 000003
【図２】
2016045835.tif 000004
【図３】
2016045835.tif 000005
【図４】
2016045835.tif 000006
【図５】
2016045835.tif 000007
【図７】
2016045835.tif 000008
【図９】
2016045835.tif 000009
【図６】
2016045835.tif 000010
【図８】
2016045835.tif 000011
【図１０】
2016045835.tif 000012
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
端末装置、書籍サーバ装置、アノテーションサーバ装置を備えたアノテーション共有システムであって、
前記端末装置は、
前記書籍サーバ装置から書籍データを受けて表示する書籍表示手段と、
前記アノテーションサーバ装置からアノテーション表示データを受けて、アノテーションに対して付されたポイントに応じて形態を異ならせてアノテーションを表示するアノテーション表示手段と、
ユーザからの操作入力を受けて、書籍に対するアノテーションを前記アノテーションサーバ装置に送信する操作内容送信手段とを備え、
前記アノテーションサーバ装置は、
前記端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段を備えていることを特徴とするアノテーション共有システムにおいて、
前記ポイント付加手段は、前記端末装置においてアノテーションに関する操作が行なわれた場合にも、当該アノテーションについてポイントを付加することを特徴とするアノテーション共有システム。
【請求項２】
端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段と、
を備えたアノテーションサーバ装置において、
前記ポイント付加手段は、前記端末装置においてアノテーションに関する操作が行なわれた場合にも、当該アノテーションについてポイントを付加することを特徴とするアノテーションサーバ装置。
【請求項３】
請求項２のアノテーションサーバ装置において、
前記アノテーションに関する操作は、当該アノテーションを含む画面の拡大操作、当該アノテーションのコピー操作または当該アノテーションが検索結果となる検索操作のいずれかを含むことを特徴とするアノテーションサーバ装置。
【請求項４】
請求項２または３のアノテーションサーバ装置において、
前記アノテーションサーバ装置のポイント付加手段は、
アノテーションが文章に対するものであり、当該文章中の部分にもアノテーションがなされている場合には、文章に対するアノテーションはポイント付加の対象とせず、
アノテーションが文章に対するものであり、当該文章中のいずれの部分にもアノテーションがなされていない場合には、当該文章に対するアノテーションをポイント付加の対象とすることを特徴とするアノテーションサーバ装置。
【請求項５】
請求項２〜４のいずれかのアノテーションサーバ装置において、
前記アノテーションサーバ装置のポイント付加手段は、
前記端末装置がアノテーションに対する操作を行った旨の情報を受けて、当該アノテーションに対してポイントを付加することを特徴とするアノテーションサーバ装置。
【請求項６】
請求項２〜５のいずれかのアノテーションサーバ装置において、
前記書籍サーバ装置と前記アノテーションサーバ装置は、単一のサーバ装置として構築されていることを特徴とするアノテーションサーバ装置。
【請求項７】
アノテーションサーバ装置をコンピュータによって実現するためのアノテーションサーバプログラムであって、コンピュータを、
端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段として機能させるためのアノテーションサーバプログラムにおいて、
前記ポイント付加手段は、前記端末装置においてアノテーションに関する操作が行なわれた場合にも、当該アノテーションについてポイントを付加することを特徴とするアノテーションサーバプログラム。
【請求項８】
端末装置から送信されてきたアノテーションについて、ポイントを付加するポイント付加手段と、
前記アノテーションおよびポイントを記録部に記録する記録手段と、
前記ポイントに応じて各アノテーションの表示形態を変えるためのアノテーション表示データを生成し、前記端末装置に送信するアノテーション表示データ送信手段と、
を備えたアノテーションサーバ装置において、
前記アノテーションサーバ装置のポイント付加手段は、
アノテーションが文章に対するものであり、当該文章中の部分にもアノテーションがなされている場合には、文章に対するアノテーションはポイント付加の対象とせず、
アノテーションが文章に対するものであり、当該文章中のいずれの部分にもアノテーションがなされていない場合には、当該文章に対するアノテーションをポイント付加の対象とすることを特徴とするアノテーションサーバ装置。